(57)【要約】【課題】たとえ周囲に土砂が詰まっていても容易に持ち上げ側溝を開放することができる溝蓋を提供する。【解決手段】  側溝１の上部両側に形成された蓋受け用のＬ型の段部２，２に着脱自在に嵌め込まれる溝蓋３であって、厚みのある四角板状体からなり、前記側溝１に沿う長手方向の一端面３１が、前記段部２，２の水平面に対して鋭角状に傾斜した傾斜面に形成される一方、前記長手方向の他端面３２における前記長手方向に垂直な面で切った断面の形状が半円弧状に形成され、側溝１に沿う長手方向の両側面３３，３３が、前記段部２，２の水平面に対して鋭角状に傾斜した傾斜面に形成され、前記両側面３３，３３と前記段部２，２との間の隙間が上窄まり状に形成される。【選択図】図１
2008214974.tif 000002
【特許請求の範囲】
【請求項１】
側溝の上部両側に形成された蓋受け用の段部に着脱自在に嵌め込まれる溝蓋であって、
厚みのある四角板状体からなり、前記側溝に沿う長手方向の一端面が、前記段部の水平面に対して鋭角状に傾斜した傾斜面に形成される一方、前記長手方向の他端面における前記長手方向に垂直な面で切った断面の形状が半円弧状に形成されることを特徴とする溝蓋。
【請求項２】
側溝の上部両側に形成された蓋受け用の段部に着脱自在に嵌め込まれる溝蓋であって、
厚みのある四角板状体からなり、前記側溝に沿う長手方向の一端面の少なくとも上半部分が、前記段部の水平面に対して鋭角状に傾斜した傾斜面に形成される一方、前記長手方向の他端面における前記長手方向に垂直な面で切った断面の形状が半円弧状に形成されることを特徴とする溝蓋。
【請求項３】
側溝の上部両側に形成された蓋受け用の段部に着脱自在に嵌め込まれる溝蓋であって、
厚みのある四角板状体からなり、前記側溝に沿う長手方向の一端面の少なくとも上半部分が、前記段部の水平面に対して鋭角状に傾斜した傾斜面に形成される一方、前記長手方向の他端面の上半部分が、前記長手方向の一端面の傾斜角度と同程度に傾斜した傾斜面に形成され、前記他端面の下半部分が円弧状に形成されることを特徴とする溝蓋。
【請求項４】
側溝の上部両側に形成された蓋受け用の段部に着脱自在に嵌め込まれる溝蓋であって、
厚みのある四角板状体からなり、前記側溝に沿う長手方向の他端面における前記長手方向に垂直な面で切った断面の形状が１／４円弧状に形成されることを特徴とする溝蓋。
【請求項５】
側溝の上部両側に形成された蓋受け用の段部に着脱自在に嵌め込まれる溝蓋であって、
厚みのある四角板状体からなり、前記側溝に沿う長手方向の一端面と他端面における前記長手方向に垂直な面で切った断面の形状が１／４円弧状に形成されることを特徴とする溝蓋。
【請求項６】
前記側溝に沿う長手方向の両側面が、前記段部の水平面に対して鋭角状に傾斜した傾斜面に形成され、前記両側面と前記段部との間の隙間が上窄まり状に形成されることを特徴とする請求項１乃至５の何れかに記載の溝蓋。
【発明の詳細な説明】
【技術分野】
【０００１】
本発明は、歩道や道路、建物等の傍に敷設される側溝を着脱自在に覆うための溝蓋に関する。
【背景技術】
【０００２】
側溝は、土砂や塵埃等の異物の侵入を阻止するために、通常、コンクリート製の溝蓋によって覆われており、清掃時等には、その溝蓋が開放状態に立て置かれるか撤去されるかして側溝が開放される。このような側溝では、例えば図４（ａ）に示すように、側溝１の上部両側に形成されたＬ型の蓋受け用の段部２，２に、厚みのある四角形状に形成された溝蓋３が連続して嵌め込まれた状態に配列され、各溝蓋３の長手方向の一端（又は両端）側には、開放時に手を掛けるための凹状の手掛け部４が形成されている。なお、上述のように、厚みのある四角形状の溝蓋３では、段部２，２と溝蓋３の間に土砂が溜まりやすくガタつきが発生しやすいため、溝蓋３の長さ方向の左右下角部に部分的に斜面部、凹面部または凸面部を設けた溝蓋が提案されている（例えば特許文献１参照）。
【特許文献１】特開２００３−３２８４２５号公報
【発明の開示】
【発明が解決しようとする課題】
【０００３】
図４（ａ）に示すような端面が垂直に形成されている従来の溝蓋３では、開放時に、手掛け部４に手を掛けて一端側を持ち上げると、例えば図４（ｂ）に示すように、他端側３ａが隣接する溝蓋３の一端壁面に摺接しつつ矢印Ａ方向に強制的に摺動させられるが、この時に溝蓋３の他端３ａと段部２，２の間に、溝蓋３の開放を妨げる大きな摩擦抵抗が発生する。特に、溝蓋３と段部２，２の間に土砂が詰まっていると、摩擦抵抗がより一層大きくなって開放作業に大変な労力を要することになる。また、溝蓋３，３同士が土砂によって互いに固着状態になり、専用の工具を用いても容易に持ち上げられないこともあった。あるいは、鉄棒等で無理にこじ上げようとすると、溝蓋３が割れてしまうこともあった。
【０００４】
本発明は、このような実情に鑑みてなされ、たとえ周囲に土砂が詰まっていても容易に持ち上げ側溝を開放することができる溝蓋を提供することを目的とする。
【課題を解決するための手段】
【０００５】
（Ａ）第１の本発明は、側溝の上部両側に形成された蓋受け用の段部に着脱自在に嵌め込まれる溝蓋であって、厚みのある四角板状体からなり、前記側溝に沿う長手方向の一端面が、前記段部の水平面に対して鋭角状に傾斜した傾斜面に形成される一方、前記長手方向の他端面における前記長手方向に垂直な面で切った断面の形状が半円弧状に形成されることを特徴とする。
【０００６】
このような構成によれば、溝蓋の長手方向の他端面が半円弧状に形成されているので、例えば図２に示すように、一端側を持ち上げた際に、半円弧状の他端面（３２）が、隣接する溝蓋（３）の一端面（３１）に摺接しつつその他端（３ａ）が側溝（１）の段部（２）上をほとんど移動しないため、溝蓋（３）の開放を妨げる摩擦抵抗は少なく、溝蓋（３）の開放が容易になる。
【０００７】
これに対して、長手方向の端面が垂直に形成されている従来の溝蓋（３）を持ち上げると、図４（ｂ）で説明したように、溝蓋（３）の他端（３ａ）が矢印Ａ方向にかなり移動するため、溝蓋（３）の開放を妨げる大きな摩擦抵抗が発生するが、本発明の溝蓋では、上述のように、このような溝蓋（３）の他端（３ａ）移動はほとんどないため摩擦抵抗は少ない。
【０００８】
また、例えば図１（ｂ）に示すように、鋭角状の傾斜面に形成される溝蓋（３）の一端面（３１）の上部が、隣接する溝蓋（３）の半円弧状の他端面（３２）の上部に被さるため、両溝蓋（３）（３）間に土砂が堆積しにくくなり、溝蓋（３）（３）同士が固まるのを防ぐことができ、溝蓋（３）を開放する際に、溝蓋（３）を持ち上げやすくなる。
【０００９】
（Ｂ）第２の本発明は、側溝の上部両側に形成された蓋受け用の段部に着脱自在に嵌め込まれる溝蓋であって、厚みのある四角板状体からなり、前記側溝に沿う長手方向の一端面の上半部分が、前記段部の水平面に対して鋭角状に傾斜した傾斜面状に形成される一方、前記長手方向の他端面における前記長手方向に垂直な面で切った断面の形状が半円弧状に形成されることを特徴とする。
【００１０】
このような構成によれば、例えば図３（ａ）に示すように、鋭角状の傾斜面に形成される溝蓋（３）の一端面（３１）の上部（３１ａ）が、隣接する溝蓋（３）の半円弧状の他端面（３２）の上部に被さるため、両溝蓋（３）（３）間に土砂が堆積しにくくなり、溝蓋（３）（３）同士が固まるのを防ぐことができ、溝蓋（３）を開放する際に、溝蓋（３）を持ち上げやすくなる。また、溝蓋（３）の長手方向の他端面（３２）が半円弧状に形成されているので、一端側を持ち上げた際に、半円弧状の他端面（３２）の側溝（１）の段部（２）に対する擦抵抗が少なくなるため、溝蓋（３）の開放が容易になる。
【００１１】
（Ｃ）第３の本発明は、側溝の上部両側に形成された蓋受け用の段部に着脱自在に嵌め込まれる溝蓋であって、厚みのある四角板状体からなり、前記側溝に沿う長手方向の一端面の少なくとも上半部分が、前記段部の水平面に対して鋭角状に傾斜した傾斜面に形成される一方、前記長手方向の他端面の上半部分が、前記長手方向の一端面の傾斜角度と同程度に傾斜した傾斜面に形成され、前記他端面の下半部分が円弧状に形成されることを特徴とする。
【００１２】
このような構成によれば、例えば図３（ｂ）に示すように、溝蓋（３）の長手方向の他端面の下半部分（３２ｂ）が半円弧状に形成されているので、一端側を持ち上げた際の溝蓋（３）の回動動作が円滑になり、側溝（１）の段部（２）に対する抵抗が少なくなるため、溝蓋（３）の開放が容易になる。また、溝蓋（３）の長手方向の他端面の上半部分（３２ａ）が長手方向の一端面（３１）の傾斜角度と同程度に傾斜した傾斜面に形成されるので、溝蓋間の隙間が傾斜方向に形成されるため、両溝蓋（３）（３）間に土砂が堆積しにくくなり、溝蓋（３）（３）同士が固まるのを防ぐことができ、溝蓋（３）を持ち上げやすくなる。
【００１３】
（Ｄ）第４の発明は、側溝の上部両側に形成された蓋受け用の段部に着脱自在に嵌め込まれる溝蓋であって、厚みのある四角板状体からなり、前記側溝に沿う長手方向の他端面における前記長手方向に垂直な面で切った断面の形状が１／４円弧状に形成されることを特徴とする。
【００１４】
このような構成によれば、例えば図３（ｃ）に示すように、側溝（１）に沿う長手方向の他端面（３２）における前記長手方向に垂直な面で切った断面の形状が１／４円弧状に形成されるので、一端側を持ち上げた際の溝蓋（３）の回動動作が円滑になり、側溝（１）の段部（２）に対する抵抗が少なくなるため、溝蓋（３）の開放が容易になる。
【００１５】
（Ｅ）第５の発明は、側溝の上部両側に形成された蓋受け用の段部に着脱自在に嵌め込まれる溝蓋であって、厚みのある四角板状体からなり、前記側溝に沿う長手方向の一端面と他端面における前記長手方向に垂直な面で切った断面の形状が１／４円弧状に形成されることを特徴とする。
【００１６】
このような構成によれば、例えば図３（ｄ）に示すように、側溝（１）に沿う長手方向の一端面（３１）と他端面（３２）における前記長手方向に垂直な面で切った断面の形状が１／４円弧状に形成されるので、一端側（又は他端側）を持ち上げた際の溝蓋（３）の回動動作が円滑になり、側溝（１）の段部（２）に対する抵抗が少なくなるため、溝蓋（３）の開放が容易になる。また、凹状の手掛け部（４）を一端側と他端側の両方に形成すれば、一端側又は他端側のどちらを持ち上げてもよく利便性が向上し、かつ、溝蓋（３）の製作も容易となる。
【００１７】
（Ｆ）前記各発明にあって、前記側溝に沿う長手方向の両側面が、前記段部の水平面に対して鋭角状に傾斜した傾斜面に形成され、前記両側面と前記段部との間の隙間が上窄まり状に形成されるようにしてもよい。例えば図１（ｃ）に示すように、溝蓋（３）の両側面（３３）と段部（２）との間の隙間が上窄まり状に形成されると、隙間に土砂が詰まりにくくなり、溝蓋（３）を開放する際に、溝蓋（３）を持ち上げやすくなる。
【発明の効果】
【００１８】
（Ａ）第１の本発明では、厚みのある四角板状体からなる溝蓋の前記側溝に沿う長手方向の一端面が、溝蓋の上部両側に形成された段部の水平面に対して鋭角状に傾斜した傾斜面に形成される一方、前記長手方向の他端面における前記長手方向に垂直な面で切った断面の形状が半円弧状に形成されるので、一端側を持ち上げた際に、半円弧状の他端面が、隣接する溝蓋の一端面に摺接しつつその他端が側溝の段部上をほとんど移動しないため、溝蓋の開放を妨げる摩擦抵抗は少なく、溝蓋の開放が容易になる。また、鋭角状の傾斜面に形成される溝蓋の一端面の上部が、隣接する溝蓋の半円弧状の他端面の上部に被さるため、両溝蓋間に土砂が堆積しにくくなり、溝蓋同士が固まるのを防ぐことができ、溝蓋を開放する際に、溝蓋を持ち上げやすくなる。
【００１９】
（Ｂ）第２の本発明では、側溝に沿う長手方向の一端面の上半部分が、溝蓋の上部両側に形成された段部の水平面に対して鋭角状に傾斜した傾斜面状に形成される一方、前記長手方向の他端面における前記長手方向に垂直な面で切った断面の形状が半円弧状に形成されるので、鋭角状の傾斜面に形成される溝蓋の一端面の上部が、隣接する溝蓋の半円弧状の他端面の上部に被さるため、両溝蓋間に土砂が堆積しにくくなり、溝蓋同士が固まるのを防ぐことができ、溝蓋を開放する際に、溝蓋を持ち上げやすくなる。また、溝蓋の長手方向の他端面が半円弧状に形成されているので、一端側を持ち上げた際に、半円弧状の他端面の側溝の段部に対する摩擦抵抗が少なくなるため、溝蓋の開放が容易になる。
【００２０】
（Ｃ）第３の本発明では、側溝に沿う長手方向の他端面の上半部分が、前記長手方向の一端面の傾斜角度と同程度に傾斜した傾斜面に形成され、前記他端面の下半部分が円弧状に形成されるので、一端側を持ち上げた際の溝蓋の回動動作が円滑になり、側溝の段部に対する抵抗が少なくなるため、溝蓋の開放が容易になる。また、溝蓋の長手方向の他端面の上半部分が長手方向の一端面の傾斜角度と同程度に傾斜した傾斜面に形成されるので、溝蓋間の隙間が傾斜方向に形成されるため、両溝蓋間に土砂が堆積しにくくなり、溝蓋同士が固まるのを防ぐことができ、溝蓋を持ち上げやすくなる。
【００２１】
（Ｄ）第４の発明では、側溝に沿う長手方向の他端面における前記長手方向に垂直な面で切った断面の形状が１／４円弧状に形成されるので、一端側を持ち上げた際の溝蓋の回動動作が円滑になり、側溝の段部に対する抵抗が少なくなるため、溝蓋の開放が容易になる。
【００２２】
（Ｅ）第５の発明では、側溝に沿う長手方向の一端面と他端面における前記長手方向に垂直な面で切った断面の形状が１／４円弧状に形成されるので、一端側（又は他端側）を持ち上げた際の溝蓋の回動動作が円滑になり、側溝の段部に対する抵抗が少なくなるため、溝蓋の開放が容易になる。また、凹状の手掛け部を一端側と他端側の両方に形成すれば、一端側又は他端側のどちらを持ち上げてもよく利便性が向上し、かつ、溝蓋の製作も容易となる。
【発明を実施するための最良の形態】
【００２３】
以下に、本発明の実施の形態に係る溝蓋について図面を参照しつつ詳細に説明する。
図１（ａ）は溝蓋の斜視図、（ｂ）は溝蓋の配列状態の説明図、（ｃ）は溝蓋の横断面図である。これらの図に示すように、この溝蓋３は、厚みのある四角板状体からなり、側溝１の上部両側に形成された蓋受け用のＬ型の段部２，２に着脱自在に嵌め込まれる。その側溝１に沿う長手方向の一端面３１が、段部２，２の水平面に対して鋭角状に傾斜した傾斜面に形成される一方、前記長手方向の他端面３２における前記長手方向に垂直な面で切った断面の形状が半円弧状に形成される。また、側溝１に沿う長手方向の両側面３３，３３が、前記段部２，２の水平面に対して鋭角状に傾斜した傾斜面に形成され、前記両側面３３，３３と前記段部２，２との間の隙間が上窄まり状に形成される。そして、例えばその一端側に凹状の手掛け部４が形成されている。尚、側溝１は、左右の側壁部１１，１１と、底壁部１２からなり上開放状に形成され、上記段部２，２は側壁部１１，１１の上部に形成されるが、本発明は側溝１の形状を特定するものではなく、上部両側に蓋受け用のＬ型の段部２，２が形成されていればよく、その構成や形状の如何を問わない。
【００２４】
以上のように構成される溝蓋３では、溝蓋の長手方向の他端面が半円弧状に形成されているので、例えば図２に示すように、一端側を持ち上げた際に、半円弧状の他端面３２が、隣接する溝蓋３の一端面３１に摺接しつつその他端３ａが側溝１の段部２上をほとんど移動しないため、溝蓋３の開放を妨げる摩擦抵抗は少なく、溝蓋３の開放が容易になる。また、例えば図１（ｂ）に示すように、鋭角状の傾斜面に形成される溝蓋３の一端面３１の上部が、隣接する溝蓋３の半円弧状の他端面３２の上部に被さるため、両溝蓋３，３間に土砂が堆積しにくくなり、溝蓋３，３同士が固まるのを防ぐことができ、溝蓋３を開放する際に、溝蓋３を持ち上げやすくなる。そして、溝蓋３の両側面３３，３３と段部２，２との間の隙間が上窄まり状に形成されるので、隙間に土砂が詰まりにくくなり、溝蓋３を開放する際に、溝蓋３を持ち上げやすくなる。
【００２５】
図３（ａ）に示す例では、側溝１に沿う長手方向の一端面３１の上半部分３１ａが、段部２，２の水平面に対して鋭角状に傾斜した傾斜面状に形成される一方、前記長手方向の他端面３２における前記長手方向に垂直な面で切った断面の形状が半円弧状に形成される。このような構成によれば、鋭角状の傾斜面に形成される溝蓋３の一端面３１の上部３１ａが、隣接する溝蓋３の半円弧状の他端面３２の上部に被さるため、両溝蓋３，３間に土砂が堆積しにくくなり、溝蓋３，３同士が固まるのを防ぐことができ、溝蓋３を開放する際に、溝蓋３を持ち上げやすくなる。また、溝蓋３の長手方向の他端面３２が半円弧状に形成されているので、一端側を持ち上げた際に、半円弧状の他端面３２の側溝１の段部２に対する摩擦抵抗が少なくなるため、溝蓋３の開放が容易になる。
【００２６】
図３（ｂ）に示す例では、側溝１に沿う長手方向の他端面３２の上半部分３２ａが、前記長手方向の一端面３１の傾斜角度と同程度に傾斜した傾斜面に形成され、かつ、他端面３２の下半部分３２ｂが円弧状に形成されている。このような構成によれば、溝蓋３の長手方向の他端面３２の下半部分３２ｂが半円弧状に形成されているので、一端側を持ち上げた際の溝蓋３の回動動作が円滑になり、側溝１の段部２，２に対する抵抗が少なくなるため、溝蓋３の開放が容易になる。また、溝蓋３の長手方向の他端面３２の上半部分３２ａが長手方向の一端面３１の傾斜角度と同程度に傾斜した傾斜面に形成されるので、溝蓋３，３間の隙間が傾斜方向に形成されるため、両溝蓋３，３間に土砂が堆積しにくくなり、溝蓋３，３同士が固まるのを防ぐことができ、溝蓋３を持ち上げやすくなる。
【００２７】
図３（ｃ）に示す例では、側溝１に沿う長手方向の他端面３２における前記長手方向に垂直な面で切った断面の形状が１／４円弧状に形成されるので、一端側を持ち上げた際の溝蓋３の回動動作が円滑になり、側溝１の段部２，２に対する抵抗が少なくなるため、溝蓋３の開放が容易になる。
【００２８】
図３（ｄ）に示す例では、側溝１に沿う長手方向の一端面３１と他端面３２における前記長手方向に垂直な面で切った断面の形状が１／４円弧状に形成されるので、一端側（又は他端側）を持ち上げた際の溝蓋３の回動動作が円滑になり、側溝１の段部２，２に対する抵抗が少なくなるため、溝蓋３の開放が容易になる。また、凹状の手掛け部４を一端側と他端側の両方に形成すれば、一端側又は他端側のどちらを持ち上げてもよく利便性が向上し、かつ、溝蓋３の製作も容易となる。
【図面の簡単な説明】
【００２９】
【図１】（ａ）は本発明の実施の形態に係る溝蓋の斜視図、（ｂ）は溝蓋の配列状態の説明図、（ｃ）は溝蓋の横断面図である。
【図２】同溝蓋の開放動作の説明図である。
【図３】（ａ）〜（ｄ）は同その他の溝蓋の例を示す説明図である。
【図４】（ａ）は従来の溝蓋の説明図、（ｂ）は溝蓋の開放動作の説明図である。
【符号の説明】
【００３０】
１…側溝、２…段部、３…溝蓋、３１…一端面、３１ａ…上半部分、３１ｂ…下半部分、３２…他端面、３２ａ…上半部分、３２ｂ…下半部分、３ａ…他端、３３…側部
【図１】
2008214974.tif 000003
【図２】
2008214974.tif 000004
【図３】
2008214974.tif 000005
【図４】
2008214974.tif 000006